(57)【要約】【課題】釣銭切れの発生を抑え、貨幣補充の手間を低減することができる金銭処理装置を提供すること。【解決手段】現金の入出金を行う自動釣銭機３を有した金銭処理装置１であって、釣銭を釣銭額よりも大きい額の割引クーポン券ＣＰ１とするか否かを選択入力する操作入力部１１と、前記釣銭を割引クーポン券ＣＰ１とする選択入力があった場合、前記釣銭額を割引クーポン券ＣＰ１として出金処理する金銭処理部１０ｂと、割引クーポン券ＣＰ１を出力する情報出力部１５と、を備える。なお、割引クーポン券ＣＰ１とする釣銭額は所定釣銭額Ｄ２未満とすることが好ましい。【選択図】図１
2017224087.tif 000002
【特許請求の範囲】
【請求項１】
現金の入出金を行う自動釣銭機を有した金銭処理装置であって、
釣銭を釣銭額よりも大きい額の割引クーポン券とするか否かを選択入力する操作入力部と、
前記釣銭を前記割引クーポン券とする選択入力があった場合、前記釣銭を割引クーポン券として出金処理する金銭処理部と、
前記割引クーポン券を出力する情報出力部と、
を備えたことを特徴とする金銭処理装置。
【請求項２】
前記割引クーポン券は、釣銭の一部または全部であり、
前記割引クーポン券が釣銭の一部であった場合、釣銭の残額を現金で出力することを特徴とする請求項１に記載の金銭処理装置。
【請求項３】
前記割引クーポン券とする釣銭額は所定釣銭額未満であることを特徴とする請求項１または２に記載の金銭処理装置。
【請求項４】
商品購入時に前記割引クーポン券の額を読み取る情報読取部を備え、
前記金銭処理部は、前記情報読取部が読み取った前記割引クーポン券の額を入金額に加算して精算処理を行うことを特徴とする請求項１〜３のいずれか一つに記載の金銭処理装置。
【請求項５】
商品購入時に前記割引クーポン券の額を読み取る情報読取部を備え、
前記金銭処理部は、前記情報読取部が読み取った前記割引クーポン券の額を商品購入額から減算して精算処理を行うことを特徴とする請求項１〜３のいずれか一つに記載の金銭処理装置。
【発明の詳細な説明】
【技術分野】
【０００１】
本発明は、釣銭切れの発生を抑え、貨幣補充の手間を低減することができる金銭処理装置に関する。
【背景技術】
【０００２】
従来から、スーパーマーケットやコンビニエンスストア等の店舗には、客さばきや現金管理の厳正化のため、自動釣銭機が用いられている。自動釣銭機には、ＰＯＳレジスタ（Ｐｏｉｎｔ Ｏｆ Ｓａｌｅｓ）装置等が接続され、ＰＯＳレジスタ装置は、自動釣銭機に対して硬貨や紙幣等の金銭の入出金処理を指示する。この入出金処理には、釣銭処理も含まれる。
【０００３】
なお、特許文献１には、釣銭切れが発生した場合に、釣銭シートを用いて、顧客自ら釣銭切れでない他の精算装置で未払いの釣銭を受け取ることができる精算装置が記載されている。
【先行技術文献】
【特許文献】
【０００４】
【特許文献１】特開２０１５−１５３０９３号公報
【発明の概要】
【発明が解決しようとする課題】
【０００５】
ところで、自動釣銭機は、各金種の貨幣を常時、所定枚数以上を収納しており、不足が生じると、釣銭切れの発生をなくすため、不足した金種の貨幣を補充する必要があった。
【０００６】
本発明は、上記に鑑みてなされたものであって、釣銭切れの発生を抑え、貨幣補充の手間を低減することができる金銭処理装置を提供することを目的とする。
【課題を解決するための手段】
【０００７】
上述した課題を解決し、目的を達成するために、本発明にかかる金銭処理装置は、現金の入出金を行う自動釣銭機を有した金銭処理装置であって、釣銭を釣銭額よりも大きい額の割引クーポン券とするか否かを選択入力する操作入力部と、前記釣銭を前記割引クーポン券とする選択入力があった場合、前記釣銭を割引クーポン券として出金処理する金銭処理部と、前記割引クーポン券を出力する情報出力部と、を備えたことを特徴とする。
【０００８】
また、本発明にかかる金銭処理装置は、上記の発明において、前記割引クーポン券は、釣銭の一部または全部であり、前記割引クーポン券が釣銭の一部であった場合、釣銭の残額を現金で出力することを特徴とする。
【０００９】
また、本発明にかかる金銭処理装置は、上記の発明において、前記割引クーポン券とする釣銭額は所定釣銭額未満であることを特徴とする。
【００１０】
また、本発明にかかる金銭処理装置は、上記の発明において、商品購入時に前記割引クーポン券の額を読み取る情報読取部を備え、前記金銭処理部は、前記情報読取部が読み取った前記割引クーポン券の額を入金額に加算して精算処理を行うことを特徴とする。
【００１１】
また、本発明にかかる金銭処理装置は、上記の発明において、商品購入時に前記割引クーポン券の額を読み取る情報読取部を備え、前記金銭処理部は、前記情報読取部が読み取った前記割引クーポン券の額を商品購入額から減算して精算処理を行うことを特徴とする。
【発明の効果】
【００１２】
本発明によれば、釣銭を釣銭額よりも大きい額の割引クーポン券として出力することができるので、釣銭切れの発生を抑え、貨幣補充の手間を低減することができるとともに、顧客の購買意欲を促進させることができる。
【図面の簡単な説明】
【００１３】
【図１】図１は、本発明の実施の形態である金銭処理装置の制御系の構成を示すブロック図である。
【図２】図２は、金銭処理部による割引クーポン券の発行を含む釣銭処理制御手順を示すフローチャートである。
【図３】図３は、割引クーポン券の発行を含む釣銭処理制御の一例を示す説明図である。
【図４】図４は、金銭処理部による割引クーポン券利用時の入金処理制御手順を示すフローチャートである。
【発明を実施するための形態】
【００１４】
以下、添付図面を参照してこの発明を実施するための形態について説明する。
【００１５】
（全体構成）
図１は、本発明の実施の形態である金銭処理装置１の制御系の構成を示すブロック図である。図１に示すように、金銭処理装置１は、ＰＯＳレジスタ装置２に自動釣銭機３が接続されている。自動釣銭機３は、ＰＯＳレジスタ装置２からの指示にしたがって、硬貨の入出金を行う硬貨処理部２１と紙幣の入出金を行う紙幣処理部２２とを備える。なお、自動釣銭機３は、入出金を行った入出金情報や在高情報などをＰＯＳレジスタ装置２側に通知する。
【００１６】
ＰＯＳレジスタ装置２は、操作入力部１１、表示部１２、記憶部１３、情報読取部１４、情報出力部１５、近距離無線通信部１６が制御部１０に接続されている。なお、上述したように、制御部１０には、自動釣銭機３が接続されている。
【００１７】
操作入力部１１は、キーボードなどの入力インターフェースであり、割引クーポン券の発行を選択する割引クーポン券選択部１１ａを有する。なお、操作入力部１１と表示部１２とは、タッチパネル式の入出力装置であってもよい。
【００１８】
記憶部１３は、入出金管理情報Ｄ１及び所定釣銭額Ｄ２を有する。入出金管理情報Ｄ１には、自動釣銭機３の入出金情報及び割引クーポン券の使用情報が含まれる。情報読取部１４は、割引クーポン券ＣＰ２の情報コードを読み取る。また、情報読取部１４は、商品に付された金額及び品名等を示す情報コードを読み取る。なお、情報読取部１４は、携帯情報端末３０に表示された情報コードを読み取ることもできる。情報出力部１５は、割引クーポン券ＣＰ１を印刷出力する。割引クーポン券ＣＰ１，ＣＰ２には、金額を含めた情報を示す情報コードが印刷されている。
【００１９】
近距離無線通信部１６は、例えば、Ｂｌｕｅｔｏｏｔｈ（登録商標）、Ｗｉ−Ｆｉ（登録商標）、Ｚｉｇｂｅｅ（登録商標）、ＮＦＣなどの近距離通信手段であり、所定周波数及び所定通信プロトコルを用いる。携帯情報端末３０は、例えば、スマートフォンやタブレット端末であり、近距離無線通信部１６に接続可能である。近距離無線通信部１６は、情報出力部１５による割引クーポン券ＣＰ１の発行に替えて、割引クーポン券と等価な割引クーポン券情報を携帯情報端末３０に出力することができる。なお、割引クーポン券情報は、図示しないインターネットを介してインターネット上のサーバに送信してもよい。なお、このサーバには、携帯情報端末３０の所有者が登録されていることが前提となる。
【００２０】
制御部１０は、入出金制御部１０ａ及び金銭処理部１０ｂを有する。入出金制御部１０ａは、自動釣銭機３の金銭処理モードを制御し、自動釣銭機３からの通知をもとに自動釣銭機３に対する入出金指示を行う。金銭処理部１０ｂは、商品購入時における精算処理を行う。この際、金銭処理部１０ｂは、割引クーポン券選択部１１ａが割引クーポン券の発行の選択状態で、釣銭が所定釣銭額Ｄ２未満のときに、割引クーポン券を発行する。
【００２１】
（割引クーポン券の発行を含む釣銭処理制御）
図２は、金銭処理部１０ｂによる割引クーポン券の発行を含む釣銭処理制御手順を示すフローチャートである。まず、金銭処理部１０ｂは、商品購入時に釣銭４０が必要か否かを判断する（ステップＳ１０１）。釣銭４０が必要な場合（ステップＳ１０１，Ｙｅｓ）には、さらに割引クーポン券選択部１１ａによって割引クーポン券の発行が選択されているか否かを判断する（ステップＳ１０２）。割引クーポン券の発行が選択されている場合（ステップＳ１０２，Ｙｅｓ）には、さらに釣銭額は所定釣銭額Ｄ２未満か否かを判断する（ステップＳ１０３）。
【００２２】
金銭処理部１０ｂは、釣銭額が所定釣銭額Ｄ２未満である場合（ステップＳ１０３，Ｙｅｓ）、その釣銭額を超える割引クーポン金額の割引クーポン券を情報出力部１５から印刷出力させて（ステップＳ１０４）、本処理を終了する。
【００２３】
一方、金銭処理部１０ｂは、釣銭額が所定釣銭額Ｄ２未満でない場合（ステップＳ１０３，Ｎｏ）、所定釣銭額Ｄ２未満の釣銭額を超える割引クーポン金額の割引クーポン券を情報出力部１５から発行するとともに、所定釣銭額Ｄ２以上の釣銭額を自動釣銭機３から釣銭４０として出力させ（ステップＳ１０５）、本処理を終了する。
【００２４】
また、金銭処理部１０ｂは、割引クーポン券の発行が選択されていない場合（ステップＳ１０２，Ｎｏ）には、自動釣銭機３から釣銭４０を出力させ（ステップＳ１０６）、本処理を終了する。
【００２５】
さらに、金銭処理部１０ｂは、釣銭４０が必要でない場合（ステップＳ１０１，Ｎｏ）、そのまま本処理を終了する。
【００２６】
（割引クーポン券の発行を含む釣銭処理制御の一例）
図３は、割引クーポン券の発行を含む釣銭処理制御の一例を示す説明図である。図３に示すように、例えば購入商品が４９５円で、顧客が５００円を入金した場合、割引クーポン券の発行が非選択状態である場合、自動釣銭機３から現金の５円を出力する。一方、割引クーポン券の発行が選択状態で、所定釣銭額Ｄ２が１００円である場合、釣銭額５円を２倍にした割引クーポン券金額１０円の割引クーポン券を発行する。
【００２７】
上述した釣銭額を割引クーポン券として発行することによって、自動釣銭機３は、割引クーポン券に対応する釣銭額分の釣銭の補充をする必要がなくなる。すなわち、自動釣銭機３に対する貨幣の補充頻度を低くすることができるので、釣銭切れの発生を抑え、かつ、貨幣補充の手間を低減することができる。また、割引クーポン券を受け取った顧客は釣銭を超える割引サービスが受けられ、割引クーポン券を発行する店での購買意欲を促進し、集客力を高めることができる。
【００２８】
（割引クーポン券利用時の入金処理制御）
図４は、金銭処理部１０ｂによる割引クーポン券利用時の入金処理制御手順を示すフローチャートである。図４に示すように、金銭処理部１０ｂは、割引クーポン券の読取があったか否かを判断する（ステップＳ２０１）。割引クーポン券の読取があった場合（ステップＳ２０１，Ｙｅｓ）には、現金入金額に割引クーポン券の金額を加算した値を入金額として設定し（ステップＳ２０２）、本処理を終了する。一方、割引クーポン券の読取がない場合（ステップＳ２０１，Ｎｏ）には、現金入金額をそのまま入金額として設定し（ステップＳ２０３）、本処理を終了する。
【００２９】
なお、上述したように、割引クーポン券は、印刷による紙出力以外であってもよい。例えば、携帯情報端末３０に出力してもよいし、携帯情報端末３０が登録しているインターネット上のサーバに出力してもよい。携帯情報端末３０に割引クーポン券を直接出力した場合であって割引クーポン券を利用する場合、再度、近距離無線通信部１６を介して携帯情報端末３０と金銭処理装置１とを接続して割引クーポン券金額を読み取ればよい。あるいは、携帯情報端末３０の表示画面に割引クーポン券の情報コードを表示し、この情報コードを情報読取部１４によって読み取るようにしてもよい。また、携帯情報端末３０が登録しているインターネット上のサーバに出力した割引クーポン券を利用する場合、近距離無線通信部１６を介して携帯情報端末３０と金銭処理装置１とを接続後、金銭処理装置１がサーバから割引クーポン券の金額を取得するようにしてもよい。あるいは、携帯情報端末３０が直接、サーバにアクセスして割引クーポン券の情報を取得し、この情報を金銭処理装置１側に出力するようにしてもよい。
【００３０】
また、印刷出力や携帯情報端末３０への出力に限らず、例えば、ポイントカードへのポイント出力であってもよい。このポイントは割引クーポン券と等価なものである。
【００３１】
さらに、上述した割引クーポン券利用時の入金処理では、読取った割引クーポン券の額を商品購入額から先に減算して精算処理を行うようにしてもよい。
【００３２】
また、割引クーポン券を使用する場合には、現金あるいはカードのどちらでも精算可能である。
【符号の説明】
【００３３】
１  金銭処理装置
２  ＰＯＳレジスタ装置
３  自動釣銭機
１０  制御部
１０ａ  入出金制御部
１０ｂ  金銭処理部
１１  操作入力部
１１ａ  割引クーポン券選択部
１２  表示部
１３  記憶部
１４  情報読取部
１５  情報出力部
１６  近距離無線通信部
２１  硬貨処理部
２２  紙幣処理部
３０  携帯情報端末
４０  釣銭
ＣＰ１，ＣＰ２  割引クーポン券
Ｄ１  入出金管理情報
Ｄ２  所定釣銭額
【図１】
2017224087.tif 000003
【図２】
2017224087.tif 000004
【図３】
2017224087.tif 000005
【図４】
2017224087.tif 000006